(57)【要約】液体もしくは超臨界ＣＯ２システムを使用して汚れた衣類及び布材料をクリーニングする方法であって、少なくとも４の相対的布親和性値（ｙ）を有する成分少なくとも７５％を有するか又は少なくとも６の相対的布親和性値（ｙ）を有する成分少なくとも６０％を有するフレグランスシステムを該ＣＯ２に加える、前記クリーニング方法を開示する。フレグランスＣＯ２は、一旦衣類及び／又は布材料に適用されると、永続的でありそして長く続く匂いを与える。【特許請求の範囲】
【請求項１】
汚れた衣類又は布材料をクリーニングする方法であって、
Ａ）該汚れた衣類又は布材料を密封可能で且つ加圧可能な装置に入れ、
Ｂ）フレグランスシステムを含んでなる、ＣＯ２を含んでなるクリーニング剤を該装置に導入し、
Ｃ）該汚れた衣類又は布材料を該クリーニング剤と接触させて望まれないしみ又は汚れを除去しそして該衣類又は布材料に永続的な長く続くフレグランスを付着させる、
段階を含んでなる方法。
【請求項２】
該ＣＯ２が液体ＣＯ２である請求項１に記載の方法。
【請求項３】
該ＣＯ２が超臨界ＣＯ２である請求項１に記載の方法。
【請求項４】
該フレグランスシステムが、下記の数学的式
ｙ＝ａ０＋ΣａｎＸｎ
式中、
ｙは約１〜７の範囲を有し、ここで７が最も永続性である芳香化学品の予測される相対的布親和性値として定義され、
ｘ１−ｎはＣＯＳＭＯ−ＲＳ計算から導かれる分子デスクリプターとして定義され、
ｎは該式で使用されるデスクリプターの数として定義され、
ａ０−ｎは線形回帰分析から導かれる係数として定義される、
に従って衣類に対して永続性であることが決定されるフレグランス成分を含んでなる
請求項１に記載の方法。
【請求項５】
ａ０＝０．２７７１、ａ１＝−０．００４２、ａ２＝−０．００９４、ａ３＝０．００６１、ａ４＝−０．２７３８及びａ５＝−０．０３７７であり；そしてｘ１＝σ−モーメントＭ２、ｘ２＝σ−モーメントＭ３、ｘ３＝σ−モーメントＭ４、ｘ４＝ｆｄｏｎ、そしてｘ５＝ΔＧＣｏｓｍｏであり；そしてｎ＝５である請求項４に記載の方法。
【請求項６】
該フレグランス成分の少なくとも６０％が少なくとも４の相対的布親和性値（ｙ）を有する請求項４に記載の方法。
【請求項７】
該フレグランス成分の少なくとも７５％が少なくとも４の相対的布親和性値（ｙ）を有する請求項６に記載の方法。
【請求項８】
該フレグランス成分の少なくとも８５％が少なくとも４の相対的布親和性値（ｙ）を有する請求項７に記載の方法。
【請求項９】
該フレグランス成分の少なくとも５０％が少なくとも６の相対的布親和性値（ｙ）を有する請求項４に記載の方法。
【請求項１０】
該フレグランス成分の少なくとも６０％が少なくとも６の相対的布親和性値（ｙ）を有する請求項９に記載の方法。
【請求項１１】
該フレグランス成分の少なくとも７０％が少なくとも６の相対的布親和性値（ｙ）を有する請求項１０に記載の方法。
【請求項１２】
該フレグランスシステムが、抗微生物成分、紫外線フィルター、帯電防止成分、光学的増白剤、冷却剤及び加温剤よりなる群から選ばれる追加の添加剤を含んでなる請求項１に記載の方法。
【請求項１３】
下記の数学的式
ｙ＝ａ０＋ΣａｎＸｎ
式中、
ｙは約１〜７の範囲を有し、ここで７が最も永続性である芳香化学品の予測される相対的永続性として定義され、
ｘ１−ｎはＣＯＳＭＯ−ＲＳ計算から導かれた分子デスクリプターとして定義され、
ｎは該式で使用されるデスクリプターの数として定義され、
ａ０−ｎは線形回帰分析から導かれる係数として定義される、
に従って衣類に対して永続性であることが決定されるフレグランス成分を含んでなる液体ＣＯ２クリーニングシステムに使用するためのフレグランスシステム。
【請求項１４】
ａ０＝０．２７７１、ａ１＝−０．００４２、ａ２＝−０．００９４、ａ３＝０．００６１、ａ４＝−０．２７３８及びａ５＝−０．０３７７であり；そしてｘ１＝σ−モーメントＭ２、ｘ２＝σ−モーメントＭ３、ｘ３＝σ−モーメントＭ４、ｘ４＝ｆｄｏｎ、そしてｘ５＝ΔＧＣｏｓｍｏであり；そしてｎ＝５である請求項１３に記載の方法。
【請求項１５】
該フレグランス成分の少なくとも６０％が少なくとも４の相対的布親和性値（ｙ）を有する請求項１３に記載のフレグランスシステム。
【請求項１６】
該フレグランス成分の少なくとも７５％が少なくとも４の相対的布親和性値（ｙ）を有する請求項１５に記載のフレグランスシステム。
【請求項１７】
該フレグランス成分の少なくとも８５％が少なくとも４の相対的布親和性値（ｙ）を有する請求項１６に記載のフレグランスシステム。
【請求項１８】
該フレグランス成分の少なくとも５０％が少なくとも６の相対的布親和性値（ｙ）を有する請求項１３に記載のフレグランスシステム。
【請求項１９】
該フレグランス成分の少なくとも６０％が少なくとも６の相対的布親和性値（ｙ）を有する請求項１８に記載のフレグランスシステム。
【請求項２０】
該フレグランス成分の少なくとも７０％が少なくとも６の相対的布親和性値（ｙ）を有する請求項１９に記載のフレグランスシステム。
【請求項２１】
該フレグランスシステムが、抗微生物成分、紫外線フィルター、帯電防止成分、光学的増白剤、冷却剤及び加温剤よりなる群から選ばれる追加の添加剤を含んでなる請求項１３に記載のフレグランスシステム。
【発明の詳細な説明】
【技術分野】
【０００１】
フレグランスシステム（ｆｒａｇｒａｎｃｅ  ｓｙｓｔｅｍ）が少なくとも４の相対的永続性値（ｒｅｌａｔｉｖｅ  ｓｕｂｓｔａｎｔｉｖｉｔｙ  ｖａｌｕｅ）（ｙ）を有するフレグランス成分７５％を含有する、液体又は超臨界ＣＯ２システムを使用して汚れた衣類（ｓｏｉｌｅｄ  ｇａｒｍｅｎｔｓ）及び布（ｆａｂｒｉｃ）材料をクリーニングする方法に関する。フレグランス成分は、一旦洗浄プロセスから適用されると、永続的匂い（ｓｕｂｓｔａｎｔｉｖｅ  ｏｄｏｒ）を有する衣類及び／又は布材料を生じさせるであろう。
【背景技術】
【０００２】
今日、ドライクリーニングシステムは典型的には溶媒として塩素化炭化水素を使用する。塩素化炭化水素の使用は環境、健康及びコストの問題を生じることがある。
【０００３】
一般に、ドライクリーニングシステムによりクリーニングされる衣類はなんらの匂いもないのが最善である。このような「クリーンな」衣類は「化学」臭又は悪臭（ｆｏｕｌ  ｓｍｅｌｌ）を有することが有さないことより多いであろう。
【０００４】
液体二酸化炭素の使用はより普通の溶媒と関連した環境、健康及びコストの問題の多くを回避しそして従来のドライクリーニング方法よりもクリーニングにおいてより効果的である。
【０００５】
特許文献１はクリーニングのために衣類を入れる加圧式容器を有する液体二酸化炭素ドライクリーニングシステムを開示している。伝導性穴付きクリーニングドラム（ｃｏｎｄｕｃｔｉｖｅ  ｐｅｒｆｏｒａｔｅｄ  ｃｌｅａｎｉｎｇ  ｄｒｕｍ）も容器内に配置されている。液体二酸化炭素は加圧された貯蔵タンクから加圧可能な容器にポンプで送られる。容器はクリーニング期間中衣類を撹拌するための撹拌手段も含む。布の審美性を改良するために、帯電防止剤をドライクリーニング流体に加えて摩擦により発生した静電荷を消散させる。付香剤（ｏｄｏｒｉｚｉｎｇ  ａｇｅｎｔ）又は脱臭剤（ｄｅｏｄｏｒｉｚｉｎｇ  ａｇｅｎｔ）をクリーニング溶液に加えてクリーニングプロセスの「臭覚」出力（“ｏｌｆａｃｔｏｒｙ”  ｏｕｔｐｕｔ）を改良するか又は「改良された液体二酸化炭素ドライクリーニング流体」を与える。
【０００６】
しかしながら、水及び洗剤を使用する従来の洗浄機械に普通は適するフレグランスはこのシステムでは十分な永続性を与えない。永続性は長く続く匂いをもたらす乾燥布におけフレグランス成分の付着（ｄｅｐｏｓｉｔｉｏｎ）として定義される。布におけるフレグランス成分の永続性を高めるために、受注製造フレグランス組成物が必要である。
【０００７】
特許文献２は、水、洗剤及び／又は布柔軟剤を使用する従来の布洗浄方法のためのフレグランス組成物を記載している。この特許では、ＣｌｏｇＰ及び沸点の如き分子デスクリプター（ｍｏｌｅｃｕｌａｒ  ｄｅｓｃｒｉｐｔｏｒｓ）を使用して、乾燥布における増加した永続性を有する持久力のあるフレグランス化学品を同定する。ＣＯ２洗浄プロセス期間中布におけるフレグランス化学品付着の理解を高めるためにＣｌｏｇＰ及び沸点デスクリプターを使用することは不十分な状況をもたらす。
【特許文献１】
米国特許第５，７８４，９０５号明細書（Ｔｏｗｎｓｅｎｄ，ｅｔ  ａｌ．）
【特許文献２】
米国特許第５，５００，１３８号明細書（Ｂａｃｏｎ，ｅｔ  ａｌ．）
【発明の開示】
【発明が解決しようとする課題】
【０００８】
本発明は進歩した分子モデル化技術を使用して液体二酸化炭素の匂いを改良するのみならず、フレグランス成分の付着も増加させて布自体における永続的匂いを生成する。更に本発明は溶媒として超臨界ＣＯ２も意図する。最後に、本発明は溶媒としてＣＯ２を使用するドライクリーニングシステムのみならずいかなる洗浄システムも意図する。
【課題を解決するための手段】
【０００９】
本発明は、汚れた衣類又は布材料をクリーニングする方法であって、
Ａ）該汚れた衣類又は布材料を密封可能で且つ加圧可能な装置に入れ、
Ｂ）フレグランスシステムを含んでなる、ＣＯ２を含んでなるクリーニング剤を該装置に導入し、
Ｃ）該汚れた衣類又は布材料を該クリーニング流体と接触させて望まれないしみ（ｓｔａｉｎｓ）又は汚れ（ｓｏｉｌｅｓ）を除去しそして該衣類又は布材料に永続的な長く続く（ｓｕｂｓｔａｎｔｉｖｅ  ｌｏｎｇ−ｌａｓｔｉｎｇ）フレグランスを付着させる、段階を含んでなる方法に関する。
【００１０】
発明の詳しい記述
本発明は、フレグランスシステムをクリーニング剤に加える、衣類及び／又は布をクリーニングするための洗浄又はドライクリーニングシステムに関する。
【００１１】
クリーニング剤は液体又は超臨界二酸化炭素である。二酸化炭素の臨界温度は３１℃でありそして臨界温度より上の且つ臨界圧力付近（又はより上）の密な（又は圧縮された）気相はしばしば「超臨界」二酸化炭素と呼ばれる。
【００１２】
ＣＯ２クリーニングプロセスはフレグランスシステムも含む。フレグランスシステムをクリーニングシステムにいかに導入することができるかについてのいくらかの非限定的例：洗浄プロセスの前又は洗浄プロセス期間中液体又は超臨界ＣＯ２にフレグランスシステムを予備ブレンドすること。これらは、錠剤、シート、粉末及びゲル（これらに限定はされない）の如き、固体形態、又は液体形態、例えば、溶液又もしくは純粋なフレグランスを包含することができる。
【００１３】
本発明のフレグランスシステムはフレグランス成分及びそれらの混合物を含有する。本発明に従うこのようなフレグランス成分は、例えば、
【００１４】
【表１】
2004536241.tif 000002
【００１５】
に見いだすことができる。
【００１６】
下記はフレグランス成分の例である。
【００１７】
天然原料から抽出物、例えば精油、コンクリート、アブソリュート、レジン、レジノイド、バルサム、チンクチャー、例えば、アンバーグリスチンクチャー；アミリス油；アンゼリカ種油；アンゼリカルート油；アニス油；バレリアン油；バジル油；ツリーモスアブソリュート；ベイ油；アルモイス油；ベンゾエレジノイド；ベルガモット油；ミツローアブソリュート；カンバタール油（ｂｉｒｃｈ  ｔａｒ  ｏｉｌ）；苦扁桃油；セイボリー油；ブチュリーフ油；カブリューバ油；ケイド油（ｃａｄｅ  ｏｉｌ）；カラムス油；カンファー油；カナンガ油；カルダモン油；カスカリラ油；カッシャ油；カッシーアブソリュート；カストリウムアブソリュート；セダーリーフ油；セダーウッド油；ゴジアオイ油（ｃｉｓｔｕｓ  ｏｉｌ）；シトロネラ油；レモン油；コパイババルサム；コパイババルサム油；コリアンダー油；コスタスルート油；クミン油；サイプレス油；ダバナ油；ディル（ｄｉｌｌ  ｗｅｅｄ  ｏｉｌ）油；ディルシード油；オードブルアブソリュート；オークモスアブソリュート；エレミ油；エストラゴン油；ユーカリプトスシトリオドーラ油（ｅｕｃａｌｙｐｔｕｓ  ｃｉｔｒｉｏｄｏｒａ  ｏｉｌ）；ユーカリ油（シネオール型）；フェンネル油；樅の葉油（ｆｉｒ  ｎｅｅｄｌｅ  ｏｉｌ）；ガルバナム油；ガルバナムレジン；ゼラニウム油；グレープフルーツ油；グアヤック油；ガージャンバルサム；ガージャンバルサム油；ヘリクリスムアブソリュート；ヘリクリスム油（ｈｅｌｉｃｈｒｙｓｕｍ  ｏｉｌ）；ショウガ油；アイリスルートアブソリュート；アイリスルート油；ジャスミンアブソリュート；カラムス油；ブルーカモミル油；ローマカモミル油；キャロットシード油；カスカリラ油；パインニードル油；スペアミント油；キャラウエー油；ラブダナム油；ラブダナムアブソリュート；ラブダナムレジン；ラバンジンアブソリュート；ラバンジン油；ラベンダーアブソリュート；ラベンダー油；レモングラス油；ロベージ油；ライムディスティルド油（ｌｉｍｅ  ｏｉｌ  ｄｉｓｔｉｌｌｅｄ）；ライムエキスプレス油（ｌｉｍｅ  ｏｉｌ  ｅｘｐｒｅｓｓｅｄ）；リナロエ油；リトシークベバ油（Ｌｉｔｓｅａ  ｃｕｂｅｂａ  ｏｉｌ）；ローレルリーフ油；メース油；マヨラナ油；マンダリン油；マッソイ（バーク）油（ｍａｓｓｏｉ（ｂａｒｋ）ｏｉｌ）；ミモザアブソリュート；アンブレットシード油；ムスクチンクチャー；クラーリセージ油；ナツメグ油；ミル（ｍｙｒｒｈ）アブソリュート；ミル油；ミルテ油；クローブリーフ油；クローブ芽油（ｃｌｏｖｅ  ｂｕｄ  ｏｉｌ）；ネロリ油；乳香アブソリュート；乳香油；オポパナックス油；オレンジフラワーアブソリュート；オレンジ油；オノガヌム油；パルマローザ油；パチョリ油；シソ油；ペルーバルサム油；パセリリーフ油；パセリシード油；プチグレイン油；ペパーミント油；ペッパー油；ピメント油；パイン油；ペニーロイヤル油；ローズアブソリュート；ローズウッド油；ローズ油；ローズマリーン油；ダルマティアンセージ油；スパニッシュセージ油；サンダルウッド油；セロリシード油；スパイクラベンダー油；スターアニス油；ストラックス油（ｓｔｏｒａｘ  ｏｉｌ）；センジュギク油；樅の葉油；茶の木油；ター��ンチン油；タイム油；トルーバルサム；トンカ豆アブソリュート；チュベロースアブソリュート；バニラエキス；バイオレットリーフアブソリュート，クマツヅラ油（ｖｅｒｂａｎａ  ｏｌ）；ベチバー油；ジュニパーベリー油；ブドウ酒粕油；アブシント草油（ｗｏｒｍｗｏｏｄ  ｏｉｌ）；ウインターグリーン油；イランイラン油；ヒソップ油；シベットアブソリュート；シンナモンリーフ油；シンナモンバーク油；及びそのフラクション又はそれから単離された成分。
【００１８】
炭化水素，例えば、３−カレン；α−ピネン；β−ピネン；α−テルピネン；γ−テルピネン；ｐ−シメン；ビスアボレン；カンフェン；カリオフィレン；セドレン；ファルネセン；リモネン；ロンギホレン；ミルセン；オシメン；バレンセン；（Ｅ，Ｚ）−１，３，５−ウンデカトリエン；スチレン；ジフェニルメタンを含んでなる群からの個々のフレグランス；
脂肪族アルコール、例えば、ヘキサノール；オクタノール；３−オクタノール；２，６−ジメチルヘプタノール；２−メチル−２−ヘプタノール；２−メチル−２−オクタノール；（Ｅ）−２−ヘキセノール；（Ｅ）−及び（Ｚ）−３−ヘキセノール；１−オクテン−３−オール；３，４，５，６，６−ペンタメチル−３／４−ヘプテン−２−オール及び３，５，６，６−テトラメチル−４−メチレンヘプタン−２−オールの混合物；（Ｅ，Ｚ）−２，６−ノナジエノール；３，７−ジメチル−７−メトキシオクタン−２−オール；９−デセノール；１０−ウンデセノール；４−メチル−３−デセン−５−オール；脂肪族アルデヒド及びそれらのアセタール、例えば、ヘキサナール；ヘプタナール；オクタナール；ノナナール；デカナール；ウンデカナール；ドデカナール；トリデカナール；２−メチルオクタナール；２−メチルノナナール；（Ｅ）−２−ヘキセナール；（Ｚ）−４−ヘプテナール；２，６−ジメチル−５−ヘプテナール；１０−ウンデセナール；（Ｅ）−４−デセナール；２−ドデセナール；２，６，１０−トリメチル−５，９−ウンデカジエナール；ヘプタナールジエチルアセタール；１，１−ジメトキシ−２，２，５−トリメチル−４−ヘキセン；シトロネリルオキシアセトアルデヒド；
脂肪族ケトン及びそれらのオキシム、例えば、２−ヘプタノン；２−オクタノン；３−オクタノン；２−ノナノン；５−メチル−３−ヘプタノン；５−メチル−３−ヘプタノンオキシム；２，４，４，７−テトラメチル−６−オクテン−３−オン；脂肪族硫黄含有化合物、例えば、３−メチルチオヘキサノール；３−メチルチオヘキシルアセテート；３−メルカプトヘキサノール；３−メルカプトヘキシルアセテート；３−メルカプトヘキシルブチレート；３−アセチルチオヘキシルアセテート；１−メンテン−８−チオール；脂肪族ニトリル、例えば、２−ノネンニトリル；２−トリデセンニトリル；２，１２−トリデセンニトリル；３，７−ジメチル−２，６−オクタジエンニトリル；３，７−ジメチル−６−オクテンニトリル；
脂肪族カルボン酸及びそれらのエステル、例えば、（Ｅ）−及び（Ｚ）−３−ヘキセニルホルメート；エチルアセトアセテート；イソアミルアセテート；ヘキシルアセテート；３，５，５−トリメチルヘキシルアセテート；３−メチル−２−ブテニルアセテート；（Ｅ）−２−ヘキセニルアセテート；（Ｅ）−及び（Ｚ）−３−ヘキセニルアセテート；オクチルアセテート；３−オクチルアセテート；１−オクテン−３−イルアセテート；エチルブチレート；ブチルブチレート；イソアミルブチレート；ヘキシルブチレート；（Ｅ）−及び（Ｚ）−３−ヘキセニルイソブチレート；ヘキシルクロトネート；エチルイソバレレート；エチル−２−メチルペンタノエート；エチルヘキサノエート；アリルヘキサノエート；エチルヘプタノエート；アリルヘプタノエート；エチルオクタノエート；エチル−（Ｅ，Ｚ）−２，４−デカジエノエート；メチル−２−オクチネート；メチル−２−ノニネート；アリル−２−イソアミルオキシアセテート；メチル−３，７−ジメチル−２，６−オクタジエノエート；
非環状テルペンアルコール、例えば、シトロネロール；ゲラニオール；ネロール；リナロール；ラバンズロール；ネロリドール；ファルネソール；テトラヒドロリナロール；テトラヒドロゲラニオール；２，６−ジメチル−７−オクテン−２−オール；２，６−ジメチルオクタン−２−オール；２−メチル−６−メチレン−７−オクテン−２−オール；２，６−ジメチル−５，７−オクタジエン−２−オール；２，６−ジメチル−３，５−オクタジエン−２−オール；３，７−ジメチル−４，６−オクタジエン−３−オール；３，７−ジメチル−１，５，７−オクタトリエン−３−オール；２，６−ジメチル−２，５，７−オクタトリエン−１−オール；並びにそれらのホルメート、アセテート、プロピオネート、イソブチレート、ブチレート、イソバレレート、ペンタノエート、ヘキサノエート、クロトネート、チグリネート及び３−メチル−２−ブテノエート；
非環状テルペンアルデヒド及びケトン、例えば、ゲラニアール；ネラール；シトロネラール；７−ヒドロキシ−３，７−ジメチルオクタナール；７−メトキシ−３，７−ジメチルオクタナール；２，６，１０−トリメチル−９−ウンデセナール；α−シネンサール；β−シネンサール；ゲラニルアセトン；並びに、ゲラニアール、ネラール及び７−ヒドロキシ−３，７−ジメチルオクタナールのジメチル−及びジエチルアセタール；
環状テルペンアルコール、例えば、メントール；イソプレゴール；α−テルピネオール、テルピネン−４−オール、メンタン−８−オール；、メンタン−１−オール；メンタン−７−オール；ボルネオール；イソボルネオール；リナロールオキシド；ノポール；セドロール；アンブリノール；ベチベロール；グアイオール；並びに、α−テルピネオール、テルピネン−４−オール、メンタン−８−オール；、メンタン−１−オール；メンタン−７−オール；ボルネオール；イソボルネオール；リナロールオキシド；ノポール；セドロール；アンブリノール；ベチベロール；グアイオールのホルメート、アセテート、プロピオネート、イソブチレート、ブチレート、イソバレレート、ペンタノエート、ヘキサノエート、クロトネート、チグリネート及び３−メチル−２−ブテノエート；
環状テルペンアルデヒド及びケトン、例えば、メントン；イソメントン；８−メルカプトメンタン−３−オン；カルボーン；カンファー；フェンチョン；α−イオノン；β−イオノン；α−ｎ−メチルイオノン；β−ｎ−メチルイオノン；α−イソメチルイオノン；β−イソメチルイオノン；α−イロン；α−ダマスコン；β−ダマスコン；β−ダマセノン；δ−ダマスコン；γ−ダマスコン；１−（２，４，４−トリメチル−２−シクロヘキセン−１−イル）−２−ブテン−１−オン；１，３，４，６，７，８ａ−ヘキサヒドロ−１，１，５，５−テトラメチル−２Ｈ−２，４ａ−メタノナフタレン−８（５Ｈ）−オン；ノートカトン；ジヒドロノートカトン；アセチル化セダーウッド油（セドリルメチルケトン）；
環状アルコール、例えば、４−ｔｅｒｔ−ブチルシクロヘキサノール；３，３，５−トリメチルシクロヘキサノール；３−イソカンフィルシクロヘキサノール；２，６，９−トリメチル−Ｚ２，Ｚ５，Ｅ９−シクロドデカトリエン−１−オール；２−イソブチル−４−メチルテトラヒドロ−２Ｈ−ピラン−４−オール；
環状脂肪族アルコール、例えば、α，３，３−トリメチルシクロ−ヘキシルメタノール；２−メチル−４−（２，２，３−トリメチル−３−シクロペント−１−イル）ブタノール；２−メチル−４−（２，２，３−トリメチル−３−シクロペント−１−イル）−２−ブテン−１−オール；２−エチル−４−（２，２，３−トリメチル−３−シクロペント−１−イル）−２−ブテン−１−オール；３−メチル−５−（２，２，３−トリメチル−３−シクロペント−１−イル）−ペンタン−２−オール；３−メチル−５−（２，２，３−トリメチル−３−シクロペント−１−イル）−４−ペンテン−２−オール；３，３−ジメチル−５−（２，２，３−トリメチル−３−シクロペント−１−イル）−４−ペンテン−２−オール；１−（２，２，６−トリメチルシクロヘキシル）ペンタン−３−オール；１−（２，２，６−トリメチルシクロヘキシル）ヘキサン−３−オール；
環状及び環状脂肪族エーテル、例えば、シネオール；セドリルメチルエーテル；シクロドデシルメチルエーテル；
（エトキシメトキシ）シクロドデカン；α−セドレンエポキシド；３ａ，６，６，９ａ−テトラメチルドデカヒドロナフト［２，１−ｂ］フラン；３ａ−エチル−６，６，９ａ−トリメチルドデカヒドロナフト［２，１−ｂ］フラン；１，５，９−トリメチル−１３−オキサビシクロ［１０．１．０］−トリデカ−４，８−ジエン；ローズオキシド；２−（２，４−ジメチル−３−シクロヘキセン−１−イル）−５−メチル−５−（１−メチルプロピル）−１，３−ジオキサン；
環状ケトン、例えば、４−ｔｅｒｔ−ブチルシクロヘキサノン；２，２，５−トリメチル−５−ペンチルシクロペンタノン；２−ヘプチルシクロペンタノン；２−ペンチルシクロペンタノン；２−ヒドロキシ−３−メチル−２−シクロペンテン−１−オン；３−メチル−シス−２−ペンテン−１−イル−２−シクロペンテン−１−オン；３−メチル−２−ペンチル−２−シクロペンテン−１−オン；３−メチル−４−シクロペンタデセノン；３−メチル−５−シクロペンタデセノン；３−メチルシクロペンタデカノン；４−（１−エトキシビニル）−３，３，５，５−テトラメチルシクロヘキサノン；４−ｔｅｒｔ．−ペンチルシクロヘキサノン；５−シクロヘキサデセン−１−オン；６，７−ジヒドロ−１，１，２，３，３−ペンタメチル−４（５Ｈ）−インダノン；５−シクロヘキサデセン−１−オン；８−シクロヘキサデセン−１−オン；９−シクロヘプタデセン−１−オン；シクロペンタデカノン；
環状脂肪族アルデヒド、例えば、２，４−ジメチル−３−シクロヘキセン−カルブアルデヒド；２−メチル−４−（２，２，６−トリメチル−シクロヘキセン−１−イル）−２−ブテナール；４−（４−ヒドロキシ−４−メチルペンチル）−３−シクロヘキセンカルブアルデヒド；４−（４−メチル）−３−ペンテン−１−イル）−３−シクロヘキセンカルブアルデヒド；
環状脂肪族ケトン、例えば、１−（３，３−ジメチルシクロヘキシル）−４−ペンテン−１−オン；１−（５，５−ジメチル−１−シクロヘキセン−１−イル）−４−ペンテン−１−オン；２，３，８，８−テトラメチル−１，２，３，４，５，６，７，８−オクタヒドロ−２−ナフタレニルメチルケトン；メチル−２，６，１０−トリメチル−２，５，９−シクロドデカトリエニルケトン；ｔｅｒｔ．−ブチル−（２，４−ジメチル）−３−シクロヘキセン−１−イル）ケトン；
環状アルコールのエステル、例えば、２−ｔｅｒｔ．−ブチルシクロヘキシルアセテート；４−ｔｅｒｔ．−ブチルシクロヘキシルアセテート；２−ｔｅｒｔ．−ペンチルシクロヘキシルアセテート；４−ｔｅｒｔ．−ペンチルシクロヘキシルアセテート；デカヒドロ−２−ナフチルアセテート；３−ペンチルテトラヒドロ−２Ｈ−ピラン−４−イルアセテート；デカヒドロ−２，５，５，８ａ−テトラメチル−２−ナフチルアセテート；４，７−メタノ−３ａ，４，５，６，７，７ａ−ヘキサヒドロ−５もしくは６−インデニルアセテート；４，７−メタノ−３ａ，４，５，６，７，７ａ−ヘキサヒドロ−５もしくは６−インデニルプロピオネート；４，７−メタノ−３ａ，４，５，６，７，７ａ−ヘキサヒドロ−５もしくは６−インデニルイソブチレート；４，７−メタノオクタヒドロ−５もしくは６−インデニルアセテート；
環状脂肪族カルボン酸のエステル、例えば、アリル−３−シクロヘキシル−プロピオネート；アリルシクロヘキシルオキシアセテート；メチルジヒドロジャスモネート；メチルジャスモネート；メチル−２−ヘキシル−３−オキソシクロペンタンカルボキシレート；エチル−２−エチル−６，６−ジメチル−２−シクロヘキセンカルボキシレート；エチル２，３，６，６−テトラメチル−２−シクロヘキセンカルボキシレート；エチル２−メチル−１，３−ジオキソラン−２−アセテート；
芳香脂肪族（ａｒａｌｉｐｈａｔｉｃ）アルコール、例えば、ベンジルアルコール；１−フェニルエチルアルコール；２−フェニルエチルアルコール；３−フェニルプロパノール；２−フェニルプロパノール；２−フェノキシエタノール；２，２−ジメチル−３−フェニルプロパノール；２，２−ジメチル−３−（３−メチルフェニル）プロパノール；１，１−ジメチル−２−フェニルエチルアルコール；１，１−ジメチル−３−フェニルプロパノール；１−エチル−１−メチル−３−フェニルプロパノール；２−メチル−５−フェニルペンタノール；３−メチル−５−フェニルペンタノール；３−フェニル−２−プロペン−１−オール；４−メトキシベンジルアルコール；１−（４−イソプロピルフェニル）エタノール；
芳香脂肪族アルコールと脂肪族カルボン酸のエステル、例えば、ベンジルアセテート；ベンジルプロピオネート；ベンジルイソブチレート；ベンジルイソバレレート；２−フェニルエチルアセテート；２−フェニルエチルプロピオネート；２−フェニルエチルイソブチレート；２−フェニルエチルイソバレレート；１−フェニルエチルアセテート；α−トリクロロメチルベンジルアセテート；α，α−ジメチルフェニルエチルアセテート；α，α−ジメチルフェニルエチルブチレート；シンナミルアセテート；２−フェノキシエチルイソブチレート；４−メトキシベンジルアセテート；芳香脂肪族エーテル、例えば、２−フェニルエチルメチルエーテル；２−フェニルエチルイソアミルエーテル；２−フェニルエチル−１−エトキシエチルエーテル；フェニルアセトアルデヒドジメチルアセタール；フェニルアセトアルデヒドジエチルアセタール；ヒドラトロパアルデヒドジメチルアセタール；フェニルアルデヒドグリセロールアセタール；２，４，６−トリメチル−４−フェニル−１，３−ジオキサン；４，４ａ，５，９ｂ−テトラヒドロインデノ［１，２−ｄ］−ｍ−ジオキシン；４，４ａ，５，９ｂ−テトラヒドロ−２，４−ジメチルインデノ［１，２−ｄ］−ｍ−ジオキシン；
芳香族及び芳香脂肪族アルデヒド、例えば、ベンズアルデヒド；フェニルアセトアルデヒド；３−フェニルプロパナール；ヒドラトロパアルデヒド；４−メチルベンズアルデヒド；４−メチルフェニルアセトアルデヒド；３−（４−エチルフェニル）−２，２−ジメチルプロパナール；２−メチル−３−（４−イソプロピルフェニル）プロパナール；２−メチル−３−（４−ｔｅｒｔ．−ブチルフェニル）プロパナール；３−（４−ｔｅｒｔ．−ブチルフェニル）プロパナール；シンナムアルデヒド；α−ブチルシンナムアルデヒド；α−アミルシンナムアルデヒド；α−ヘキシルシンナムアルデヒド；３−メチル−５−フェニルペンタナール；４−メトキシベンズアルデヒド；４−ヒドロキシ−３−メトキシベンズアルデヒド；４−ヒドロキシ−３−エトキシベンズアルデヒド；３，４−メチレン−ジオキシベンズアルデヒド；３，４−ジメトキシベンズアルデヒド；２−メチル−３−（４−メトキシフェニル）プロパナール；２−メチル−３−（４−メチレンジオキシフェニル）プロパナール；
芳香族及び芳香脂肪族ケトン、例えば、アセトフェノン；４−メチルアセトフェノン；４−メトキシアセトフェノン；４−ｔｅｒｔ．−ブチル−２，６−ジメチルアセトフェノン；４−フェニル−２−ブタノン；４−（４−ヒドロキシフェニル）−２−ブタノン；１−（２−ナフタレニル）エタノン；ベゾフェノン；１，１，２，３，３，６−ヘキサメチル−５−インダニルメチルケトン；６−ｔｅｒｔ．−ブチル−１，１−ジメチル−４−インダニルメチルケトン；１−［２，３−ジヒドロ−１，１，２，６−テトラメチル−３−（１−メチルエチル）−１Ｈ−５−インデニル］エタノン；５′，６′，７′，８′−テトラヒドロ−３ダ，５′，５′，６′，８′，８′−ヘキサメチル−２−アセトナフトン；
芳香族及び芳香脂肪族カルボン酸及びそのエステル、例えば、安息香酸；フェニル酢酸；メチルベンゾエート；エチルベンゾエート；ヘキシルベンゾエート；ベンジルベンゾエート；メチルフェニルアセテート；エチルフェニルアセテート；ゲラニルフェニルアセテート；フェニルエチルフェニルアセテート；メチルシンナメート；エチルシンナメート；ベンジルシンナメート；フェニルエチルシンナメート；シンナミルシンナメート；アリルフェノキシアセテート；メチルサリチレート；イソアミルサリチレート；ヘキシルサリチレート；シクロヘキシルサリチレート；シス−３−ヘキセニルサリチレート；ベンジルサリチレート；フェニルエチルサリチレート；メチル−２，４−ジヒドロキシ−３，６−ジメチルベンゾエート；エチル３−フェニルグリシデート；エチル３−メチル−３−フェニルグリシデート；
窒素含有芳香族化合物、例えば、２，４，６−トリニトロ−１，３−ジメチル−５−ｔｅｒｔ．−ブチルベンゼン；３，５−ジニトロ−２，６−ジメチル−４−ｔｅｒｔ．−ブチルアセトフェノン；シンナモニトリル；５−フェニル−３−メチル−２−ペンテノニトリル；５−フェニル−３−メチルペンタノニトリル；メチルアントラニレート；メチル−Ｎ−メチルアントラニレート；７−ヒドロキシ−３，７−ジメチルオクタナール、２−メチル−３−（４−ｔｅｒｔ．−ブチルフェニル）プロパナールもしくは２，４−ジメチル−３−シクロヘキセンカルブアルデヒドとメチルアントラニレートのシッフ塩基；６−イソプロピルキノリン；６−イソブチルキノリン；６−ｓｅｃ．−ブチルキノリン；インドール；スカトール；２−メトキシ−３−イソプロピルピラジン；２−イソブチル−３−メトキシピラジン；
フェノール類、フェニルエーテル及びフェニルエステル、例えば、エストラゴール；アネトール；オイゲノール；オイゲニルメチルエーテル；イソオイゲノール；イソオイゲノールメチルエーテル；チモール；カルバクロール；ジフェニルエーテル；β−ナフチルメチルエーテル；β−ナフチルエチルエーテル；β−ナフチルイソブチルエーテル、１，４−ジメトキシベンゼン；オイゲニルアセテート；２−メトキシ−４−メチルフェノール；２−エトキシ−５−（１−プロペニル）フェノール；ｐ−クレジルフェニルアセテート；
複素環式化合物、例えば、２，５−ジメチル−４−ヒドロキシ−２Ｈ−フラン−３−エオン；２−エチル−４−ヒドロキシ−５−メチル−２Ｈ−フラン−３−オン；３−ヒドロキシ−２−メチル−４Ｈ−ピラン−４−オン；２−エチル−３−ヒドロキシ−４Ｈ−ピラン−４−オン；
ラクトン、例えば、１，４−オクタノリド；３−メチル−１，４−オクタノリド；１，４−ノナノリド；１，４−デカノリド；８−デセン−１，４−オリド；１，４−ウンデカノリド；１，４−ドデカノリド；１，５−デカノリド；１，５−ドデカノリド；１，１５−ペンタデカノリド；シス−及びトランス−１１−ペンタデセン−１，１５−オリド；シス−及びトランス−１２−ペンタデセン−１，１５−オリド；１，１６−ヘキサデカノリド；９−ヘキサデセン−１，１６−オリド；１０−オキサ−１，１６−ヘキサデカノリド；１１−オキサ−１，１６−ヘキサデカノリド；１２−オキサ−１，１６−ヘキサデカノリド；エチレン−１，１２−ドデカンジオエート；エチレン−１，１３−トリデカンジオエート；クマリン；２，３−ジヒドロクマリン；オクタヒドロクマリン；
フレグランスシステムは、希釈剤もしくは増量剤（ｅｘｔｅｎｄｅｒｓ）として知られている、臭いを持たない又は非常に弱い臭いを有する物質も含有することができる。これらの物質の非限定的例は、ジプロピレングリコール、ジエチルフタレート、クエン酸トリエチル、イソプロピルミリステート、及び安息香酸ベンジルである。これらの物質は、ある他の香料成分を希釈及び安定化するために使用される。これらの希釈剤は追加の成分と考えられそしてフレグランス成分とはみなされない。
【００１９】
フレグランスシステムは他の臭いのない活性成分を包含する。いくらかの非限定的例は抗微生物成分、紫外線フィルター、帯電防止成分、光学的増白剤、冷却剤及び加温剤である。
【００２０】
衣類又は布に永続的フレグランスを生成するために、ＣＯ２洗浄プロセスにおけるモデルフレグランス（Ａ）に関して研究が行われた。このモデルフレグランスにおけるフレグランス成分の付着が分析された。分子モデル化を適用して種々の分子デスクリプターを計算した。線形回帰を適用してフレグランス成分の分子の特徴とそれらの衣類に付着する能力との相関関係を調べた。
【００２１】
下記の方法を使用してＣＯＳＭＯ−ＲＳ法によりフレグランス化学品についての進んだ分子デスクリプターを計算した。ＣＯＳＭＯ−ＲＳはこの出願の主要な部分において十分に説明されたコンピュ−ター技術である。
【００２２】
この方法はフレグランス化学品の三次元配座異性体（ｃｏｎｆｏｒｍｅｒｓ）の発生で出発しそしてＨｉｐｈｏｐ（Ｍｏｌｅｃｕｌａｒ  Ｓｉｍｕｌａｔｉｏｎ  Ｉｎｃ．，（ＵＳＡ）及びＨｙｐｅｒ  Ｃｈｅｍ（Ｈｙｐｅｒｃｕｂｅ，Ｆｌｏｒｉｄａ，ＵＳＡ）の如きプログラムにより支援された。
【００２３】
その後、構造は、Ｄｉｓｃｏｖｅｒ（Ｉｎｓｉｇｈｔ，Ｍｏｌｅｃｕｌａｒ  Ｓｉｍｕｌａｔｉｏｎ  Ｉｎｃ．，（ＵＳＡ）、Ｍｅｒｃｋ  Ｍｏｌｅｃｕｌａｒ  Ｆｏｒｃｅ  Ｆｉｅｌｄ（ＭＭＦＦ，Ｍｅｒｃｋ）又はＯｐｅｎ  Ｆｏｒｃｅ  Ｆｉｅｌｄ（ＯＦＦ，ＭＳＩ，ＵＳＡ）の如きプログラムにより力場最適化された（ｆｏｒｃｅ  ｆｉｅｌｄ  ｏｐｔｉｍｉｚｅｄ）。
【００２４】
その後、ＮＭＲＣｌｕｓｔ（Ｏｘｆｏｒｄ  Ｍｏｌｅｃｕｌａｒ  Ｌｔｄ．，ＵＫ）によるクラスター分析を誘導された構造に適用して大きな構造的複雑性を得る。低い総エネルギーを有する配座異性体が好んで選ばれた。
【００２５】
構造の次の最適化はＰＭ３又はＡＭ１（ＡＭＰＡＣ，ＳｅｍｉＣｈｅｍ又はＭＯＰＡＣ，Ｆｕｊｉｔｓｕ  Ｌｔｄ）の如き半経験的計算プログラムによりなされた。
【００２６】
追加のクラスター分析をＮＭＲＣｌｕｓｔにより行って次の計算のための配座異性体を選択した（Ｏｘｆｏｒｄ  Ｍｏｌｅｃｕｌａｒ  Ｌｔｄ．，ＵＫ）。
【００２７】
次の構造最適化及びエネルギー最適化は、アプイニシオ法（ａｂ−ｉｎｉｔｉｏ  ｍｅｔｈｏｄｓ）、例えば、Ｈａｒｔｒｅｅ−Ｆｏｃｋ又はＭｏｌｌｅｒ−Ｐｌｅｓｓｅｔ、又は密度関数法（ＤＦＴ）、例えば、コンダクターライクスクリーニングモデルオプション（ｃｏｎｄｕｃｔｏｒ  ｌｉｋｅ  ｓｃｒｅｅｎｉｎｇ  ｍｏｄｅｌ  ｏｐｔｉｏｎ）（ＣＯＳＭＯ）を包含する、ＲＩ−ＤＦＴ（Ｔｕｒｂｏｍｏｌ，Ｃｈｅｍ．Ｐｈｙｓ．Ｌｅｔｔｅｒｓ  １６２（１９８９）１６５）又はＧＡＵＳＳＩＡＮ  ９８（Ｇａｕｓｓｉａｎ  Ｉｎｃ．）又はＤＭｏｌ３（Ｍｏｌｅｃｕｌａｒ  Ｓｉｍｕｌａｔｉｏｎｓ  Ｉｎｃ．）によりなされた。
【００２８】
ＤＦＴ／ＣＯＳＭＯ計算は、静電気的に理想的な取り囲まれた分子（ｅｌｅｃｔｒｏｓｔａｔｉｃ  ｉｄｅａｌ  ｓｕｒｒｏｕｎｄｅｄ  ｍｏｌｅｃｕｌｅ）の全エネルギー及び分子表面に生じる電荷密度σを与えた。
【００２９】
次ぎの段階において、ＣＯＳＭＯ−ＲＳ（ＣＯＳＭＯｌｏｇｉｃ，Ｇｅｒｍａｎｙ）を使用して、理想的な取り囲まれた分子の接触相互作用を使用して液体中のフレグランス化学品と固体材料、例えば布との相互作用を調べる（Ｆｌｕｉｄ  Ｐｈａｓｅ  Ｅｑｕｉｌｉｂｒｉａ  １７２（２０００）４３）。
【００３０】
ＣＯＳＭＯ−ＲＳ計算は、フレグランス化学品Ｘの分子表面におけるすべての関連する表面電荷密度σの相互作用を頻度分布（ｆｒｅｑｕｅｎｃｙ  ｄｉｓｒｉｂｕｔｉｏｎ）ｐｘ（σ）に変形する。ｐｘ（σ）、いわゆるσ−プロフィルは、特定のσ（ｓｐｅｃｉｆｉｃ  σ）を有する分子表面のこれらの部分の分布を表す。
【００３１】
テキスタイルは、フレグランス分子Ｘの親和性をσ−ポテンシャルμｓ（σ）により表すことができる複雑な相Ｓとみなすことができる。又はテキスタイルＳに対するフレグランス分子Ｘの親和性は複雑な相に対する溶媒分子の親和性とみなすことができる。この親和性はσ−ポテンシャルμｓ（σ）により表すことができる。
【００３２】
分子デスクリプターを展開するために、μＳ（σ）についての下記のテイラーロー（ｔａｙｌｏｒ  ｒｏｗ）をその後の計算のために展開した。
【００３３】
【数１】
2004536241.tif 000003
【００３４】
式中、
μｓ（σ）：相のσ−ポテンシャル；
ｉ：シリーズメンバーに対するインデックス：
ｍ：シリーズメンバーの最も高い次数、
ｆｉ（σ）：基本関数、
ｆａｃｃ：水素結合アクセプター、
ｃｓｉ：テイラーローの係数、
ｆｄｏｎ：水素結合ドナー、
σｈｂ：水素橋結合に対する閾値。
フレグランス化学品Ｘについて与えられたいかなるσポテンシャルも、水素橋関数ｆａｃｃ（水素結合アクセプター）、ｆｄｏｎ（水素結合ドナー）及び次数ｍ＝０〜ｍ＝４の５つの多項式Ｍｉｘをデスクリプターとして使用する方程式の結果として回帰分析を通して適合させることができる。
【００３５】
それ故、テキスタイルＳ上のフレグランス化学品Ｘの化学ポテンシャルは、
【００３６】
【数２】
2004536241.tif 000004
【００３７】
式中、
フレグランス分子ＸのσモーメントＭｉｘは
【００３８】
【数３】
2004536241.tif 000005
【００３９】
として定義される、
として表すことができる。
【００４０】
これらの７つのσモーメント（ｆａｃｃ、ｆｄｏｎ、Ｍ０ｘ、Ｍ１ｘ、Ｍ２ｘ、Ｍ３ｘ、Ｍ４ｘ）及びμｓｘは、多重線形回帰（ｍｕｌｔｉｐｌｅ  ｌｉｎｅａｒ  ｒｅｇｒｅｓｓｉｏｎ）により例えば布親和性値（ｆａｂｒｉｃ  ａｆｆｉｎｉｔｙ  ｖａｌｕｅｓ）を計算するために式（４）に従って使用されうる分子デスクリプターの極めて一般的な組である。
【００４１】
次いですべての種類のテキスタイルＳは、モーメントＭｉｘに関係した係数ｃｉＳにより一次方程式における親和性特性により特徴付けられる。
【００４２】
Ｅ  ＣＯＳＭＯ（ＣＯＳＭＯ−ＲＳ法で計算された液体／固体相における分子のエネルギー）、ＥｇａｓＣＯＳＭＯ（ＣＯＳＭＯ−ＲＳ法で計算された気相における分子のエネルギー）、ＥｄｉｅｌＣＯＳＭＯ（ＣＯＳＭＯ−ＲＳ法で計算された誘電エネルギー）、ＥｖｄｗＣＯＳＭＯ（ＣＯＳＭＯ−ＲＳ法で計算された連続体における分子のファンデルワールスエネルギー）、ΔＧＣＯＳＭＯ（ＣＯＳＭＯ−ＲＳで計算された分子の自由エネルギー）の如きＣＯＳＭＯ−ＲＳ法で計算されうる追加のデスクリプターが多重線形回帰分析における７つのσモーメントと組み合わせて使用される。
【００４３】
この方法を使用して、得られる式は各フレグランス成分の布親和性値（ｙ）を決定する。
【００４４】
ｙ＝ａ０＋ΣａｎＸｎ
式中、
ｙは１〜７のスケールにおける、ここで７が最も永続性である芳香化学品（ａｒｏｍａ  ｃｈｅｍｉｃａｌ）の予測される相対的布親和性値又は永続性として定義され、
ｘｎはＣＯＳＭＯ−ＲＳ計算から導かれる分子デスクリプターとして定義され、
ａ０及びａｎは線形回帰分析から導かれる係数として定義され、そして
ｎは１〜５の数として定義される。
【００４５】
少なくとも４の相対的布親和性値（ｙ）を有するフレグランス成分を使用する場合に中程度の匂い永続性が認められた。
【００４６】
少なくとも６の相対的布親和性値（ｙ）を有するフレグランス成分を使用する場合に高い匂い永続性が認められた。
【００４７】
本発明は、少なくとも４の相対的布親和性値を有するフレグランスシステムにおける少なくとも６０％、好ましくは少なくとも７５％、最も好ましくは少なくとも８５％のフレグランス成分を使用して、衣類又は布における永続性の匂いを生じさせる。
【００４８】
更に、本発明は少なくとも６の相対的布親和性値を有するフレグランスシステムにおける少なくとも５０％、好ましくは少なくとも６０％、最も好ましくは少なくとも７０％のフレグランス成分を使用して、衣類又は布における永続性の匂いを生じさせる。
【００４９】
本発明を下記の実施例により更に説明するが、本発明はそれらに限定はされない。実施例においてすべての部及び百分率は特記しないかぎり重量による。
【実施例】
【００５０】
この実験に使用される装置はＨｅｗｌｅｔｔ  Ｐａｃｋａｒｄ  ７６８０Ｔ  ＳＦＥ  Ｓｕｐｅｒｃｒｉｔｉｃａｌ  Ｆｌｕｉｄ  Ｅｘｔｒａｃｔｏｒであった。綿布１ｇを７ｍｌのシンブル（ｔｈｉｍｂｌｅ）に入れた。０．０１グラムのモデルフレグランスＡをＣＯ２クリーニングプロセスの最も早い段階を表す布の最上部に適用した。
【００５１】
【表２】
2004536241.tif 000006
【００５２】
使用したＣＯ２の性質は：密度＝０．２５ｇ／ｍｌ、圧力＝７７バール（Ｐｃ＝７３．８バール）、温度＝４３℃、であった。これらは、ＣＯ２の臨界温度が３１．１℃であるので、超臨界条件であった。
【００５３】
ＣＯ２をシンブルに導入しそして２分間ソーキングさせた。シンブルを２ｍｌ／分の流速で５分間ＣＯ２でフラッシユした。ＣＯ２／フレグランス混合物をトラップに送り込み、そこでＣＯ２を蒸発させて−３０℃に維持されている分析トラップパッキング上にフレグランスを残した。トラップをアセトンですすいだ。フレグランス／アセトン混合物を、フレームイオン化検出（ＧＣ  ＦＩＤ）を伴うガスクロマトグラフィーを使用して分析した。
【００５４】
ＧＣ  ＦＩＤに基づく結果を使用して、布に保持された各フレグランス成分の％を計算した。（９０％は、フレグランスの９０％が布において永続的であったことを意味する）。下記（表２）は結果を示す。
【００５５】
【表３】
2004536241.tif 000007
【００５６】
ＣｌｏｇＰ、沸点及び蒸気圧の如き従来のデスクリプターを使用すると、実験値について低い相関係数しか達成されなかった。図１は沸点と布に残った％との相関を示す。ｒ２＝０．５２は劣った相関を示す。
【００５７】
図２はｌｏｇＰと布に残った％との相関を示さない。ｒ２＝０．００６５は極めて劣った相関を示す。
【００５８】
図３は−ｌｏｇ（蒸気圧）と布に残った％との相関を示す。ｒ２＝０．５４は劣った相関を示す。
【００５９】
シングルデスクリプターでなされた上記相関及びすべてのデスクリプターを含む相関は布親和性値（ｙ）の予測には適当ではなく、それ故フレグランス創製を支援するのに信頼性のある情報を与えることはできない。
【００６０】
ＣＯＭＳＯ  ＲＳデスクリプターを使用することにより、はるかに優れた適合を達成することができ、優れた予測モデルの開発を可能とする。モデルフレグランスを使用して、種々の分子デスクリプターを計算した。下記のＣＯＳＭＯ  ＲＳデスクリプターを計算した。
【００６１】
σ−モーメント  Ｍ０、Ｍ１、Ｍ２、Ｍ３及びＭ４、
水素ドナー（ｆｄｏｎ）とアクセプター（ｆａｃｃ）についての水素結合モーメント、
自由エネルギー  ΔＧＣｏｓｍｏ
本発明の詳細な説明に記載のとおり、これらのデスクリプター値は、ＣＯＳＭＯｌｏｇｉｃ  ＧｍｂＨ＆Ｃｏ．ＫＧ，Ｇｅｒｍａｎｙにより配布されたＣＯＳＭＯサームソフトウエア（ＣＯＳＭＯｔｈｅｒｍ  ｓｏｆｔｗａｒｅ）を使用してファイルフォーマット名．ｃｏｓｍｏ（Ｄｍｏｌ／Ｔｕｒｂｏｍｏｌｅ  ｆｏｒｍａｔ）又はファイルフォーマット名ｃｏｓ（ＭＯＰＡＣ  ｆｏｒｍａｔ）における三次元構造についての量子化学ＣＯＳＭＯ計算から計算された。
【００６２】
この場合に、化合物の構造はエネルギー最小にされそして気相及び誘電場（ｄｉｅｌｅｃｔｒｉｃ  ｆｉｅｌｄｓ）について配座異性体が発生した。これらの構造はやはりエネルギー最小にされ（ＣＶＦＦ力場）、次いでＭＯＰＡＣにより半経験的に計算しそしてターボモル（ｔｕｒｂｏｍｏｌｅ）のｒｉｄｆｔ法（ｒｉｄｆｔ−ｐｒｏｃｅｓｓ）による量子化学エネルギー計算を行った。
【００６３】
ＣＯＳＭＯデスクリプター及び活性値を表（表３）に入れ、表３では化合物は行にありそして各化合物の活性値は列にある。この分析では、活性値は、「表２に示されたとおり洗浄後の乾燥布上に残った各物質のフラクション」として定義される。
【００６４】
【表４】
2004536241.tif 000008
【００６５】
洗浄におけるモデルフレグランスＡに含まれた揮発性化学品の挙動を記述する式は上記デスクリプター及び活性の表を使用していくつかの多重線形回帰により決定された。最善の有効化データの故に下記の式が選ばれた。
【００６６】
【数４】
2004536241.tif 000009
【００６７】
計算された値は香料創製に使用されるべきであるので、布親和性値は下記式７を使用することにより１〜７の範囲の整数として計算された。この式７では、活性値は０．３０と０．８２との間で再スケール化されそして１〜７の布親和性値を生じさせる。これらの布親和性値は最も近い整数に丸められた。
【００６８】
式７：
布親和性値（ｙ）＝８*活性／０.８２＋９−６.５６／０.５２
それ故、芳香化学品の予測される布親和性値を計算するために、各化学品の活性を上記式６に従って相関ＣＯＳＭＯデスクリプターで計算する。次いで活性を０．８２と０．３０との間でスケール化する。次いで式７に従って布親和性値を計算する。７より大きいと計算された化学品の値は定義により７に等しい組であり、１より小さいと計算された化学品の値は定義により１に等しい組である。
【００６９】
上記した実験データ及び式６及び７を使用して、下記の表４はこのクリーニングシステムにおける選ばれた芳香化学品について布親和性値を示す。
【００７０】
【表５】
2004536241.tif 000010
【００７１】
【表６】
2004536241.tif 000011
【００７２】
本発明を例示の目的で前記において詳細に説明して来たが、このような詳細は単にその目的のためのみでありそして本発明が特許請求の範囲により限定されうることを以外には本発明の精神及び範囲から逸脱することなく当業者により変更がそれにおいてなされうることは理解されるべきである。
【図面の簡単な説明】
【００７３】
【図１】沸点とこのＣＯ２マトリックスからの布に残った％との相関を示す。
【図２】ｌｏｇＰ（オクタノール／水分配）と布に残った％との相関がないことをを示す。
【図３】−ｌｏｇ（蒸気圧）と布に残った％との相関を示す。
【図１】
2004536241.tif 000012
【図２】
2004536241.tif 000013
【図３】
2004536241.tif 000014
【国際公開パンフレット】
2004536241.tif 000015
2004536241.tif 000016
2004536241.tif 000017
2004536241.tif 000018
2004536241.tif 000019
2004536241.tif 000020
2004536241.tif 000021
2004536241.tif 000022
2004536241.tif 000023
2004536241.tif 000024
2004536241.tif 000025
2004536241.tif 000026
2004536241.tif 000027
2004536241.tif 000028
2004536241.tif 000029
2004536241.tif 000030
2004536241.tif 000031
2004536241.tif 000032
2004536241.tif 000033
2004536241.tif 000034
2004536241.tif 000035
2004536241.tif 000036
2004536241.tif 000037
2004536241.tif 000038
2004536241.tif 000039
2004536241.tif 000040
2004536241.tif 000041
2004536241.tif 000042
2004536241.tif 000043
2004536241.tif 000044
【国際調査報告】
2004536241.tif 000045
2004536241.tif 000046
2004536241.tif 000047